【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  ストロボの発光を制御するストロボ制御手段と、
光量調節用の絞りを制御する絞り制御手段と、
前記ストロボ制御手段によるプリ発光の結果に基づき本発光量を算出する本発光量算出手段と、
前記本発光量算出手段により算出された本発光量と予め設定された前記ストロボの最小発光量とを比較する比較手段とを有する撮像装置において、
前記比較手段により比較した結果、前記本発光量が前記最小発光量を下回った場合には、前記絞り制御手段は、前記絞りを絞る制御を行うことを特徴とする撮像装置。
【請求項２】  前記比較手段により比較した結果、前記本発光量が前記最小発光量を下回った場合には、前記絞り制御手段は、最小発光量を下回った分だけ、前記絞りを絞る制御を行うことを特徴とする請求項１に記載の撮像装置。
【請求項３】  前記比較手段により比較した結果、前記本発光量が前記最小発光量を下回った場合には、前記絞り制御手段は、前記絞りを絞る制御を行い、該絞りが絞られ過ぎた場合には、前記ストロボ制御手段は、発光時間を延ばす制御を行うことを特徴とする請求項１に記載の撮像装置。
【請求項４】  光学像を電気信号に変換する撮像手段と、
ストロボの発光を制御するストロボ制御手段と、
前記撮像手段により撮像された画像信号のゲインを調節する撮像感度調節手段と、
前記ストロボ制御手段によるプリ発光の結果に基づき本発光量を算出する本発光量算出手段と、
前記本発光量算出手段により算出された本発光量と予め設定された前記ストロボの最小発光量とを比較する比較手段とを有する撮像装置において、
前記比較手段により比較した結果、前記本発光量が前記最小発光量を下回った場合には、前記撮像感度調節手段は、ゲインを下げる制御を行うことを特徴とする撮像装置。
【請求項５】  前記比較手段により比較した結果、前記本発光量が前記最小発光量を下回った場合には、前記撮像感度調節手段は、前記最小発光量を下回った分だけ、ゲインを下げる制御を行うことを特徴とする請求項４に記載の撮像装置。
【請求項６】  前記比較手段により比較した結果、前記本発光量が前記最小発光量を下回った場合には、前記撮像感度調節手段は、ゲインを下げる制御を行い、該ゲインを下げ過ぎた場合には、前記ストロボ制御手段は、発光時間を延ばす制御を行うことを特徴とする請求項４に記載の撮像装置。
【請求項７】  ストロボの発光を制御するストロボ制御工程と、
光量調節用の絞りを制御する絞り制御工程と、
前記ストロボ制御工程によるプリ発光の結果に基づき本発光量を算出する本発光量算出工程と、
前記本発光量算出工程により算出された本発光量と予め設定された前記ストロボの最小発光量とを比較する比較工程とを有する撮像装置の制御方法において、
前記比較工程により比較した結果、前記本発光量が前記最小発光量を下回った場合には、前記絞り制御工程は、前記絞りを絞る制御を行うことを特徴とする撮像装置の制御方法。
【請求項８】  光学像を電気信号に変換する撮像工程と、
ストロボの発光を制御するストロボ制御工程と、
撮像工程により撮像された画像信号のゲインを調節する撮像感度調節工程と、
前記ストロボ制御工程によるプリ発光の結果に基づき本発光量を算出する本発光量算出工程と、
前記本発光量算出工程により算出された本発光量と予め設定された前記ストロボの最小発光量とを比較する比較工程とを有する撮像装置の制御方法において、
前記比較工程により比較した結果、前記本発光量が前記最小発光量を下回った場合には、前記撮像感度調節工程は、ゲインを下げる制御を行うことを特徴とする撮像装置の制御方法。
【手続補正２】
【補正対象書類名】明細書
【補正対象項目名】００１０
【補正方法】変更
【補正の内容】
【００１０】
（１）ストロボの発光を制御するストロボ制御手段と、光量調節用の絞りを制御する絞り制御手段と、前記ストロボ制御手段によるプリ発光の結果に基づき本発光量を算出する本発光量算出手段と、前記本発光量算出手段により算出された本発光量と予め設定された前記ストロボの最小発光量とを比較する比較手段とを有する撮像装置において、前記比較手段により比較した結果、前記本発光量が前記最小発光量を下回った場合には、前記絞り制御手段は、前記絞りを絞る制御を行うことを特徴とする撮像装置。
【手続補正３】
【補正対象書類名】明細書
【補正対象項目名】００１１
【補正方法】変更
【補正の内容】
【００１１】
（２）前記比較手段により比較した結果、前記本発光量が前記最小発光量を下回った場合には、前記絞り制御手段は、最小発光量を下回った分だけ、前記絞りを絞る制御を行うことを特徴とする前記（１）に記載の撮像装置。
【手続補正４】
【補正対象書類名】明細書
【補正対象項目名】００１２
【補正方法】変更
【補正の内容】
【００１２】
（３）前記比較手段により比較した結果、前記本発光量が前記最小発光量を下回った場合には、前記絞り制御手段は、前記絞りを絞る制御を行い、該絞りが絞られ過ぎた場合には、前記ストロボ制御手段は、発光時間を延ばす制御を行うことを特徴とする前記（１）に記載の撮像装置。
【手続補正５】
【補正対象書類名】明細書
【補正対象項目名】００１３
【補正方法】変更
【補正の内容】
【００１３】
（４）光学像を電気信号に変換する撮像手段と、ストロボの発光を制御するストロボ制御手段と、前記撮像手段により撮像された画像信号のゲインを調節する撮像感度調節手段と、前記ストロボ制御手段によるプリ発光の結果に基づき本発光量を算出する本発光量算出手段と、前記本発光量算出手段により算出された本発光量と予め設定された前記ストロボの最小発光量とを比較する比較手段とを有する撮像装置において、前記比較手段により比較した結果、前記本発光量が前記最小発光量を下回った場合には、前記撮像感度調節手段は、ゲインを下げる制御を行うことを特徴とする撮像装置。
【手続補正６】
【補正対象書類名】明細書
【補正対象項目名】００１４
【補正方法】変更
【補正の内容】
【００１４】
（５）前記比較手段により比較した結果、前記本発光量が前記最小発光量を下回った場合には、前記撮像感度調節手段は、前記最小発光量を下回った分だけ、ゲインを下げる制御を行うことを特徴とする前記（４）に記載の撮像装置。
【手続補正７】
【補正対象書類名】明細書
【補正対象項目名】００１５
【補正方法】変更
【補正の内容】
【００１５】
（６）前記比較手段により比較した結果、前記本発光量が前記最小発光量を下回った場合には、前記撮像感度調節手段は、ゲインを下げる制御を行い、該ゲインを下げ過ぎた場合には、前記ストロボ制御手段は、発光時間を延ばす制御を行うことを特徴とする前記（４）に記載の撮像装置。
【手続補正８】
【補正対象書類名】明細書
【補正対象項目名】００１６
【補正方法】変更
【補正の内容】
【００１６】
（７）ストロボの発光を制御するストロボ制御工程と、光量調節用の絞りを制御する絞り制御工程と、前記ストロボ制御工程によるプリ発光の結果に基づき本発光量を算出する本発光量算出工程と、前記本発光量算出工程により算出された本発光量と予め設定された前記ストロボの最小発光量とを比較する比較工程とを有する撮像装置の制御方法において、前記比較工程により比較した結果、前記本発光量が前記最小発光量を下回った場合には、前記絞り制御工程は、前記絞りを絞る制御を行うことを特徴とする撮像装置の制御方法。
【手続補正９】
【補正対象書類名】明細書
【補正対象項目名】００１７
【補正方法】変更
【補正の内容】
【００１７】
（８）光学像を電気信号に変換する撮像工程と、ストロボの発光を制御するストロボ制御工程と、撮像工程により撮像された画像信号のゲインを調節する撮像感度調節工程と、前記ストロボ制御工程によるプリ発光の結果に基づき本発光量を算出する本発光量算出工程と、前記本発光量算出工程により算出された本発光量と予め設定された前記ストロボの最小発光量とを比較する比較工程とを有する撮像装置の制御方法において、前記比較工程により比較した結果、前記本発光量が前記最小発光量を下回った場合には、前記撮像感度調節工程は、ゲインを下げる制御を行うことを特徴とする撮像装置の制御方法。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】